【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
第１の電極を有する第１基板と第２の電極を有する第２基板との間に液晶を封止してなり第１の電極と第２の電極とが交差してできる画素からなる表示部を有する液晶表示装置において、
前記表示部以外の領域に対向するダミー電極が配設されており、一方の前記ダミー電極が接続電極により前記第１の電極または前記第２の電極と接続されて一方の前記基板に設けられ、他方の前記ダミー電極が前記第１の電極及び前記第２の電極と非導通で他方の前記基板に配設されたことを特徴とする液晶表示装置。
【請求項２】
一つの前記接続電極に接続される前記ダミー電極が、複数のダミー電極よりなることを特徴とする請求項１に記載の液晶表示装置。
【請求項３】
前記接続電極で接続された前記ダミー電極は、前記第１の電極または前記第２の電極の最も外側であって、前記ダミ−電極と近い電極と前記接続電極で接続されていることを特徴とする請求項１または２に記載の液晶表示装置。
【請求項４】
前記ダミ−電極は前記第１基板と第２基板が交差してできる領域の４カ所の隅角部の少くとも一箇所に形成されていることを特徴とする請求項１または２または３に記載の液晶表示装置。
【請求項５】
前記接続電極で接続された前記ダミー電極の電極幅は、前記接続電極で接続される前記第１の電極の電極幅または前記第２の電極の電極幅と略同じであることを特徴とする請求項１乃至４のいずれかの一に記載の液晶表示装置。
【請求項６】
第１の電極とダミー電極を有する第１基板と第２の電極とダミー電極を有する第２基板との間に液晶を封止してなり、前記第１の電極と前記第２の電極とが交差して画素を形成し、この画素からなる表示部を有する液晶表示装置において、  対向する前記ダミー電極の一方のダミー電極は、前記第１の電極または前記第２の電極の一方の電極が前記表示部から延長することで形成されており、この延長してなる前記ダミー電極の電極幅は前記表示部に於ける電極幅より小さいことを特徴とする液晶表示装置。
【手続補正２】
【補正対象書類名】明細書
【補正対象項目名】０００９
【補正方法】変更
【補正の内容】
【０００９】
【課題を解決するための手段】
上記目的を達成するために、本発明は、第１の電極を有する第１基板と第２の電極を有する第２基板との間に液晶を封止してなり第１の電極と第２の電極とが交差してできる画素からなる表示部を有する液晶表示装置において、前記表示部以外の領域に対向するダミー電極が配設されており、一方の前記ダミー電極が接続電極により前記第１の電極または前記第２の電極と接続されて一方の前記基板に設けられ、他方の前記ダミー電極が前記第１の電極及び前記第２の電極と非導通で他方の前記基板に配設されたことを特徴とする。
さらに、一つの前記接続電極に接続される前記ダミー電極が、複数のダミー電極よりなることを特徴とする。


【手続補正３】
【補正対象書類名】明細書
【補正対象項目名】００１０
【補正方法】変更
【補正の内容】
【００１０】
さらに、前記接続電極で接続された前記ダミー電極は、前記第１の電極または前記第２の電極の最も外側であって、前記ダミ−電極と近い電極と前記接続電極で接続されていることを特徴とする。


【手続補正４】
【補正対象書類名】明細書
【補正対象項目名】００１１
【補正方法】変更
【補正の内容】
【００１１】
さらに、前記ダミ−電極は前記第１基板と前記第２基板が交差してできる領域の４カ所の隅角部の少くとも一箇所に形成されていることを特徴とする。


【手続補正５】
【補正対象書類名】明細書
【補正対象項目名】００１２
【補正方法】変更
【補正の内容】
【００１２】
さらに、前記接続電極で接続された前記ダミー電極の電極幅は、前記接続電極で接続される前記第１の電極の電極幅または前記第２の電極の電極幅と略同じであることを特徴とする。
【手続補正６】
【補正対象書類名】明細書
【補正対象項目名】００１３
【補正方法】変更
【補正の内容】
【００１３】
また、第１の電極とダミー電極を有する第１基板と第２の電極とダミー電極を有する第２基板との間に液晶を封止してなり、前記第１の電極と前記第２の電極とが交差して画素を形成し、この画素からなる表示部を有する液晶表示装置において、対向する前記ダミー電極の一方のダミー電極は、前記第１の電極または前記第２の電極の一方の電極が前記表示部から延長することで形成されており、この延長してなる前記ダミー電極の電極幅は前記表示部に於ける電極幅より小さいことを特徴とする。
【手続補正７】
【補正対象書類名】明細書
【補正対象項目名】００１５
【補正方法】変更
【補正の内容】
【００１５】
第１のガラス基板２の上に形成されたセグメント側透明電極１と第２のガラス基板４の上に形成されたコモン側透明電極３が交差してできる画素からなる表示部５以外の非有効画素領域にダミ−電極が形成されている。即ち、第１のガラス基板２にはダミ−電極８、１０、１２、１４が４か所の隅角部に形成され、第２のガラス基板４にはダミ−電極８、１０、１２、１４に対向した位置にダミ−電極９、１１、１３、１５が形成されている。
図３のごとく、本発明の実施形態では、前記隅部に設けたダミー電極は、セグメント側透明電極１の電極幅あるいは電極ピッチとほぼ同じに設定した。
【手続補正８】
【補正対象書類名】明細書
【補正対象項目名】００１６
【補正方法】変更
【補正の内容】
【００１６】
また、ダミ−電極８、９についてみると、図４の断面図に示したように、ダミ−電極８ａ、８ｂ、８ｃおよび９ａ、９ｂ、９ｃは図４の断面図に示されるように、セグメント側透明電極１やコモン側透明電極３が存在していない基板上に設けられ、しかもダミ−電極８ａ−９ａ、８ｂ−９ｂ、８ｃ−９ｃ間のギャップ間隔はセグメント側透明電極１とコモン側透明電極３とのギャップ間隔と同じ距離にしてある。そして、第１のガラス基板２上のダミ−電極８、１０、１２、１４はそれぞれセグメント側透明電極１の外側の電極に接続されて導通を取っているいる。ダミ−電極８についてみると、接続電極８ｄにより各ダミ−電極８ａ、８ｂ、８ｃが外側のセグメント側透明電極１ａに接続されている。第２のガラス基板４上のダミ−電極９、１１、１３、１５は図２に示すように、コモン側透明電極３とは接続せずに非導通の開回路のフロ−ティングの状態にされている。


【手続補正９】
【補正対象書類名】明細書
【補正対象項目名】００２１
【補正方法】変更
【補正の内容】
【００２１】
この実施例では表示部１０５の外周片部の４辺すべてにダミ−電極が形成されているので基板のギャップ間隔を一定に且つ均一にする効果を一層高めることができる。又、セグメント側透明電極又はコモン側透明電極を延長して形成するダミ−電極の幅はそれぞれセグメント側透明電極又はコモン側透明電極の幅より小さくそれぞれの横のギャップを大きくしているのでダミ−電極部での電極間の短絡を防止することができる。
このように本発明は、一方の基板上にセグメント側透明電極を形成した第１基板と、他方の基板上にコモン側透明電極を形成した第２基板とを備え、前記第１基板と前記第２基板との間に液晶を封止してなる液晶表示装置であり、前記セグメント側電極と前記コモン側電極とが交差した画素からなる表示部以外の領域の前記第１基板及び前記第２基板に夫々対向する如くダミ−電極を形成し、前記第１基板上の前記ダミ−電極は前記セグメント側透明電極のいずれか１つの電極と接続すると共に、前記第２基板上の前記ダミ−電極は開回路としたこと、及び又は前記第２基板上の前記ダミ−電極は前記コモン側透明電極のいずれか１つの電極と接続すると共に、前記第１基板上の前記ダミ−電極は開回路とした。さらに、前記第１基板又は前記第２基板上の前記ダミ−電極は前記セグメント側透明電極又は前記コモン側透明電極の最も外側であって、前記ダミ−電極と近い電極と接続されている。さらに、前記ダミ−電極は前記第１基板と第２基板が交差してできる領域の４カ所の隅角部の少くとも一箇所に形成されている。さらに、前記ダミ−電極は前記表示部の外周辺部の４辺に沿って形成されている。さらに、前記表示部の外周辺部に、前記第１基板上の前記セグメント側透明電極を延長して形成される前記ダミ−電極の幅は前記セグメント側透明電極の表示部電極の幅より小さく、前記第２基板上の前記コモン側透明電極を延長して形成される前記ダミ−電極の幅は前記コモン側透明電極の表示部電極の幅より小さくしている。